(57)【要約】【課題】音楽再生をしながらスライドショー再生をするときに、音声入り画像データがあっても適切に音声出力処理を行なう。【解決手段】音声情報が入った画像データと音声情報が入っていない画像データを含む複数の画像データが保存された記録手段２２と、前記複数の画像データによる再生画像を表示する表示手段１１と、前記複数の画像データを読み出して、それらの再生画像を前記表示手段に順次表示させる画像再生手段１５と、複数の前記再生画像の表示中に音楽を再生する音声再生手段１７と、画像再生手段により、前記複数の画像データのうち、音声情報が入った画像データの再生画像が再生された際に、前記音声再生手段により、音楽を再生するか画像データの音声情報を再生するかを選択可能な選択手段２１とを備える。【選択図】図１
2007165958.tif 000002
【特許請求の範囲】
【請求項１】
音声情報が入った画像データと音声情報が入っていない画像データを含む複数の画像データが保存された記録手段と、
前記複数の画像データによる再生画像を表示する表示手段と、
前記複数の画像データを読み出して、それらの再生画像を前記表示手段に順次表示させる画像再生手段と、
複数の前記再生画像の表示中に音楽を再生する音声再生手段と、
画像再生手段により、前記複数の画像データのうち、音声情報が入った画像データの再生画像が再生された際に、前記音声再生手段により、音楽を再生するか画像データの音声情報を再生するかを選択可能な選択手段と
を備えたことを特徴とする画像表示装置。
【請求項２】
請求項１に記載の画像表示装置において、
前記選択手段は、音声情報が入った画像データの再生画像が再生された際に、前記音声再生手段により、音楽を再生するのを止めて画像データの音声情報を再生することを特徴とする画像表示装置。
【請求項３】
請求項１に記載の画像表示装置において、
前記音声再生手段は、ステレオ再生が可能であり、
前記選択手段は、音声情報が入った画像データの再生画像が再生された際に、一方のチャネルで音楽を再生し、他方のチャネルで画像データの音声情報を再生することを特徴とする画像表示装置。
【発明の詳細な説明】
【技術分野】
【０００１】
本発明は、電子カメラなどで撮影された写真画像を表示するための画像表示装置に関する。
【背景技術】
【０００２】
従来より、画像をディスプレイ装置に表示して鑑賞する方法として、複数の画像を、手動または自動で順番に切り替えて表示させるスライドショー再生がある（たとえば特許文献１参照）。
【特許文献１】特開２００３−３０４４７９号公報
【発明の開示】
【発明が解決しようとする課題】
【０００３】
演出効果を高めるために、スライドショー再生中に音楽を流すことが考えられている。スライドショー再生対象の画像データに音声が含まれていなければ音楽を流すことに支障がないが、音声入り画像データが含まれていると音声出力制御が困難となる。
【０００４】
本発明は、音楽再生をしながらスライドショー再生をするときに、音声入り画像データがあっても適切に音声出力処理を行なえる画像表示装置を提供することを目的とする。
【課題を解決するための手段】
【０００５】
上記課題の解決のため、本発明の画像表示装置は、
音声情報が入った画像データと音声情報が入っていない画像データを含む複数の画像データが保存された記録手段と、
前記複数の画像データによる再生画像を表示する表示手段と、
前記複数の画像データを読み出して、それらの再生画像を前記表示手段に順次表示させる画像再生手段と、
複数の前記再生画像の表示中に音楽を再生する音声再生手段と、
画像再生手段により、前記複数の画像データのうち、音声情報が入った画像データの再生画像が再生された際に、前記音声再生手段により、音楽を再生するか画像データの音声情報を再生するかを選択可能な選択手段と
を備えたことを特徴とする。
【発明の効果】
【０００６】
音楽再生と音声入り画像の音声の再生とを適切に制御することができる。
【発明を実施するための最良の形態】
【０００７】
図１は、本発明の実施形態による画像表示装置の構成を示すブロック図である。図１において、画像表示装置１には、入出力機器として、ディスプレイ装置１１、スピーカ１２、ＣＤプレーヤ１３、入力部１４（キーボード、マウス）が設けられている。これらは、画像表示装置１の本体部分と分離して設けられ、ケーブルを介して本体部分と接続されて信号のやりとりが行なわれるが、これらのうち一部の入出力機器またはすべてが、本体部分と一体化して設けられる構成としてもよい。
【０００８】
また、画像表示装置１には、記憶装置として、ハードディスク２２が設けられている。ハードディスク２２には、ＣＤプレーヤ１３等から入力される音声（音楽）データ、電子カメラ３０から入力される画像データを格納することができる。
【０００９】
ディスプレイ装置１１は、画像信号出力部１６を介して画像信号処理部１５に接続されている。ディスプレイ装置１１は、画像信号処理部１５で処理されて画像信号出力部１６を介して出力される画像信号に基づいた画像を、表示画面に表示する。スピーカ１２は、音声信号出力部１８を介して音声信号処理部１７に接続されており、音声信号処理部１７で処理されて音声信号出力部１８を介して出力される音声信号に基づいた音声を出力する。ＣＤプレーヤ１３は、音声信号入力部１９を介して音声信号処理部１７に接続されている。音声信号入力部１９には、他の音響機器を接続することもでき、接続された機器からの音声データを入力する。ＣＤプレーヤは、挿入されたＣＤ（コンパクト・ディスク）に記録された音声情報（音楽デー）を再生することができる。その再生データは、音声信号入力部１９を介して音声信号処理部１７に入力され、音声信号処理部１７で処理された後、ハードディスク２２に保存される場合もあり、音声信号出力部１８を介して音声信号が出力され、スピーカ１２から音声出力される場合もある。
【００１０】
入力部１４はキーボード、マウス等から構成されており、ＵＳＢインタフェース部２０を介してＣＰＵ２１に接続されている。ＣＰＵ２１を介して、各種設定や動作に関する操作を行なうことができる。また、ＵＳＢインタフェース部２０を介して、電子カメラ３０を接続することもできる。そして、電子カメラ３０で撮影された画像データを画像表示装置１に転送し、ＣＰＵ２１を介してハードディスク２２に保存することができる。
【００１１】
ＣＰＵ２１は、画像信号処理部１５、音声信号処理部１７、ハードディスク２２の動作の制御を行なう。ＲＯＭ２３は、ＣＰＵ２１が動作するための制御プログラムが格納されている読出し専用のメモリである。ＣＰＵ２１は、ＲＯＭ２２から制御プログラムを読み出して実行することにより動作する。ＲＡＭ２４は、画像データや音声データ、その他のデータを一時的に格納しておくための書き換え可能なメモリである。
【００１２】
前述のように、電子カメラ３０において撮影された写真画像を画像表示装置１に取り込むことができる。電子カメラ３０と画像表示装置１とは、ＵＳＢケーブル３１を介して接続可能であり、ＵＳＢケーブル３１を介して電子カメラ３０内に保存されている画像データを画像表示装置１に転送することができる。画像表示装置１では、ＵＳＢインタフェース部２０を介してＣＰＵ２１に画像データが入力され、ＣＰＵ２１は画像データをハードディスク２２に保存する。電子カメラ３０からの画像データを転送されてきた形式のままでハードディスク２２に保存してもよいが、必要に応じて、画像信号処理部１５に画像データを送り、画像データを加工した後にハードディスク２２に保存してもよい。
【００１３】
電子カメラ３０では、音声信号を記録することもできる。これらの音声信号は、動画あるいは静止画と関連付けられて記録される。画像（動画、静止画）データ中に音声データを含ませて記録するのが一般的である。このような音声データが入った（あるいは音声データと関連付けられた）画像データ（以下、音声入り画像データという）も、上記同様にして、画像表示装置１に転送して、ハードディスク２２に保存することができる。
【００１４】
ＣＤプレーヤ１３でＣＤから再生された音楽データは、音声信号入力部１９を介して音声信号処理部１７に入力される。音声信号処理部１７では、音楽データに圧縮等の処理を施し、処理された音楽データをハードディスク２２に保存する。
【００１５】
なお、音声信号処理部１７は、入力された音声データをアナログ音声信号に変換し、音声信号出力部１８を介してスピーカ１２に出力し、音声を出力させることもできる。音声信号処理部１７に入力される音声データとしては、ＣＤプレーヤ１３から出力される音楽データと、ハードディスク２２に保存された音楽データ、あるいは画像データ中に含まれる音声データがある。
【００１６】
ハードディスク２２に保存された画像データは、ディスプレイ装置１１に画像表示することができる。ハードディスク２２から読み出された画像データは、画像信号処理部１５でディスプレイ装置１１で表示するのに適合する画像信号に変換され、画像信号出力部１６を介してディスプレイ装置１１に出力される。そして、ディスプレイ装置１１は、入力された画像信号に基づいた画像を表示画面に表示する。次の画像データをハードディスク２２から読み出して、画像信号処理部１５へ出力すると、ディスプレイ装置１１で表示される画像は次の画像データに基づく画像に切り替わる。このように、順次ハードディスク２２に保存されている画像データを読み出して画像信号処理部１５へ出力していくと、ディスプレイ装置１１での表示画像を順次切り替えていくスライドショー再生ができる。
【００１７】
ハードディスク２２には、保存された画像データを管理するためのデータベースファイルが作成される。画像データが新たに保存されると、データベースファイルに情報が追加される。
【００１８】
図２は、このようにして作成された画像管理データベースファイルの内容を示す図である。図２において、データベースの項目としては、１つの画像データに対して、画像ファイル名、撮影日時、グループ名、順位、関連音楽データ名がある。
【００１９】
画像データが電子カメラ３０から転送されハードディスク２２に保存されたとき、図２の画像管理データベースファイルにその画像データの情報が追加される。このとき、画像管理データベースファイルに書き込まれる情報は、画像ファイル名と撮影日時である。画像ファイル名は、画像データがハードディスク２２に保存されるときのファイル名であり、電子カメラ３０で保存されたときのファイル名をそのまま用いる。撮影日時は、画像が電子カメラ３０で撮影されて保存されたときの日時であり、この情報は画像ファイル中に書き込まれている。したがって、画像ファイル名と撮影日時は、画像データが電子カメラ３０から転送された時点で特定されるので、画像管理データベースファイルに書き込むことができる。
【００２０】
画像管理データベースの項目の「グループ名」は、スライドショー再生を行なうときの、再生対象となる画像データのグループを示している。同じグループ名が設定されている画像データは、そのグループのスライドショー再生時にディスプレイ装置１１に順次画像表示される。このグループ名は、操作者によって設定される。この設定動作は、操作者によって設定操作の要求が、入力部１４よりなされたときに、ＲＯＭ２３内に格納された設定用プログラムがＣＰＵ２１によって呼び出され、実行されることにより開始される。ＣＰＵ２１は、設定用プログラムに従い、ハードディスク２２から画像管理データベースファイルを読み出し、その内容をディスプレイ装置１１で表示できるような表示形式データにして画像信号処理部１５に出力する。画像信号処理部１５は、ＣＰＵ２１から入力したデータをディスプレイ装置１１で表示可能な画像信号に変換して、画像信号出力部１６を介してディスプレイ装置１１に出力する。そして、ディスプレイ装置１１の表示画面に設定画面が表示される。操作者は、その設定画面を見ながら、入力部１４を操作することにより、グループ名を設定し、そのグループに含ませる画像データを選択して設定することができる。
【００２１】
画像管理データベースの項目の「順位」は、あるグループをスライドショー再生するときに、グループ内の画像を順次表示する際の順番を示している。すなわち、順位１の画像から順に表示する処理が行われる。この順位も、設定画面から設定するわけであるが、設定操作を省略して、撮影日時順や、ファイル名順に自動的に順位が設定されることとしてもよい。本実施形態では、撮影日時順に順位が自動的に設定されて画像管理データベースに書き込まれることとする。
【００２２】
画像管理データベースの項目の「関連音楽データ名」は、その画像が表示されるときに再生される音楽データ名を示している。この関連音楽データ名は、設定画面にて、ハードディスク２２に保存されている音楽データから選択して設定することができる。このような画像データと音楽データとの関連付けの設定は、各画像データごとに１つの音楽データを設定するか、各グループごとに１つの音楽データを設定するかのいずれかの設定ができる。あるグループをスライドショー再生する際に、そのグループに対して１つの音楽データが関連付けされている場合は、スライドショー再生が終了するまで、その関連付けされた１つの音楽データが再生され続ける。各画像ごとに異なる音楽データが関連付けされている場合は、画像の表示を切り替えるごとに再生される音楽データも切り替わる。画像管理データベースでは、図２に示されるように、各画像ごとに関連音楽データ名が書き込まれているが、グループに１つの音楽データが設定された場合は、そのグループに属する画像の関連音楽データ名の項は、すべて同じ関連音楽データ名が書き込まれる。
【００２３】
以下、スライドショー再生時の動作について説明する。スライドショー再生は、ＲＯＭ２３に格納されたスライドショー再生用プログラムがＣＰＵ２１によって読み出され、実行されることによって行なわれる。スライドショー再生プログラムが実行されると、ＣＰＵ２１は、画像信号処理部１５、画像信号出力部１６を介して、ディスプレイ１１にスライドショー再生のためのグループ選択画面を表示する。操作者は、この画面を見ながら入力部１４を操作することにより、再生したいグループを選択する。今、グループ１が選択された場合の動作説明を行なう。
【００２４】
図３は、スライドショー再生時の動作を示すフローチャートである。このフローチャートは、グループに対して１つの音楽データが関連付けられたグループがスライドショー再生対象として選択された場合の動作を示している。まず、グループ選択がなされると（ステップＳ３０１）、図２に示した画像管理データベースファイルを開き、選択されたグループの各画像の情報を読み出す（ステップＳ３０２）。前述のように、ここではグループ１が選択されたわけであるから、図２の画像管理データベースファイル中より、グループ名が「１」である画像の情報を読み出す。対象となる画像は、画像０１〜画像０６である。図２の画像管理データベースファイルから、グループ１の各画像の関連音楽データ名を読出す。ここでは、グループ１の画像０１〜０６は、関連音楽データ名がすべて「ＡＡ」なので、グループに対して１つの音楽データが関連付けされていることがわかる。したがって、スライドショー再生が終了するまで音楽データＡＡを再生し続ければよいことがわかる。次に、スライドショー再生で、表示すべき６枚の画像（画像０１〜画像０６）に関して、各画像の表示時間を決定する（ステップＳ３０３）。この表示時間の決定について、以下に詳細に説明する。
【００２５】
本実施形態では、スライドショーでの画像表示時には、各画像の表示時間を一定にする設定もできるが、表示時間を自動制御する設定も可能である。このような表示時間の自動制御の設定がなされたときは、以下のようにして表示時間を制御する。
【００２６】
まず、画像は、撮影日時順（撮影日時が古い順）に順次表示する。撮影日時は、画像管理データベースに書き込まれている。画像管理データベースの「順位」の項目は、画像の表示順を示しているが、グループ１の場合、順位は撮影日時順になっている。各画像の表示時間を一定にする設定のときは、「順位」で設定された順に表示をしていくが、各画像の表示時間を自動制御する設定のときは、「順位」の設定にかかわらず、撮影日時順に表示する。各画像の表示時間は、撮影日時に基づいて決定される。今表示されている画像と次に表示される画像との撮影日時の間隔が長いほど、今表示されている画像の表示時間が長くなるようにする。
【００２７】
図４は、図２のグループ１の画像を表示する際の、各画像の表示時間の決定方法を説明するための図である。グループ１の画像０１〜画像０６の６枚の画像の撮影日時順は画像０１〜画像０６であるから、表示順もこの順になる。各画像の次の画像との撮影日時の間隔は、図４の「次の画像との撮影日時間隔」に示される通りである。画像０６は、最後に表示する画像であるから、次の画像はない。そして、撮影日時の間隔に基づいて各画像の表示時間を決めていく。まず、最初に表示する画像０１と最後に表示する画像０６の表示時間は、予め設定された時間とする。その時間をここでは６秒とする。最長表示時間と最短表示時間も設定可能であるとする。これは、撮影日時間隔が数年のように長すぎる場合は、表示時間が長くなりすぎる問題があるし、連写などで、撮影日時間隔が非常に短い場合は、表示時間が短くなりすぎる問題があるからである。ここでは、最長表示時間を６秒の２倍の１２秒、最短表示時間は６秒の１／２の３秒とする。
【００２８】
画像０１の表示時間は設定通り６秒であるが、画像０２との撮影日時間隔は３０６秒である。次の画像０２は、画像０３との撮影日時間隔が４３３秒であり、画像０１の３０６秒の約１．４倍であるから、表示時間もその倍率に応じて長くする。画像０２の表示時間は
６．０＊４３３／３０６＝８．４９・・・
（＊は乗算記号、／は除算記号。以下同じ。）
という計算の結果、８．５秒とする。
【００２９】
次の画像０３は、画像０４との撮影日時間隔が６５秒であるから、画像０２の場合と同様の計算により
６．０＊６５／３０６＝１．２７・・・
であるから１．３秒となるが、設定されている最短表示時間の３秒より短いため、画像０３の表示時間は３秒となる。画像０４は、画像０５との撮影日時間隔が２２９３秒であるから、画像０２の場合と同様の計算により
６．０＊２２９３／３０６＝４４．９６・・・
であるから４５．０秒となるが、設定されている最長表示時間の１２秒より長いため、画像０４の表示時間は１２秒となる。画像０５は、画像０６との撮影日時間隔が２１９秒であるから、画像０２の場合と同様の計算により
６．０＊２１９／３０６＝４．２９・・・
であるから４．３秒となる。以上のようにして、各画像の表示時間が決定される。
【００３０】
図３のフローチャートの説明に戻ると、ステップＳ３０３にて、各画像の表示時間が決定されると、図２の画像管理データベースファイルから、グループ１の各画像の関連音楽データ名を読出す。ステップ３０２で確認したように、ここでは、グループ１の画像０１〜０６は、関連音楽データ名がすべて「ＡＡ」なので、スライドショー再生が終了するまで音楽データＡＡを再生し続ければよいので、この音楽データの再生を開始する（ステップＳ３０４）。すなわち、音楽データ名「ＡＡ」の音楽データがハードディスク２２から読み出されて音声信号処理部１７へ入力され処理されて、音声信号出力部１８を介してスピーカ１２から音声出力される。次に、図２の画像管理データベースファイルから、グループ１の画像のうち最初に表示されるべき画像（撮影日時が最も早い画像）の画像名が読み出される（ステップＳ３０５）。ここでは、画像０１である。この画像０１の画像データを読み出して、ディスプレイ装置１１に画像表示する（ステップＳ３０６）。すなわち、画像０１の画像データがハードディスク２２から読み出されて、画像信号処理部１５へ入力されて処理され、画像信号出力部１６を介して画像信号が出力され、ディスプレイ装置１１に画像が表示される。画像が表示された状態で、図４に示すように設定された画像の表示時間が経過するまで待つ（ステップＳ３０７）。これは、ＣＰＵ２１に内蔵されているタイマによって時間の経過を計ることにより行なう。画像０１の場合、６秒が経過したら、図２の画像管理データベースファイルより、次に表示すべき画像データがあるか否かを調べる（ステップＳ３０８）。次に表示すべき画像データがある場合は、その画像データを読出し（ステップＳ３０９）、ステップＳ３０６とステップＳ３０７の処理を再度行い、次の画像データの表示を図５のように設定された時間だけ行なう処理を繰り返す。ここでは、次に表示すべき画像データとして画像０２があるので、画像０２の画像データを読み出して、８．５秒間表示する処理を行なう。次に表示すべき画像データがない場合は、ステップＳ３０４で開始した音楽データの再生を終了させ（ステップＳ３１０）、ディスプレイ装置１１への画像表示を終了させ（ステップＳ３１１）、このグループのスライドショー再生を終了させる。グループ１の場合、最後に表示する画像０６の表示が終了すると、スライドショー再生が終了となる。
【００３１】
本実施形態では、音楽データの再生の際、曲のサビ部分のみを再生することができる。前述のように、画像データと音楽データの関連付けは、１つの画像データに１つの音楽データを関連付けすることができる。この場合、スライドショー再生の際に、画像表示が切り替わるごとに再生される音楽データも切り替わることとなる。スライドショー再生においては、１つの画像の表示時間が設定できるが、通常数秒に設定することが多い。これに対して、音楽データは１曲数分である場合が多く、画像表示中に曲の最初の一部分しか再生できないことになる。したがって、曲の特徴部分であるサビ部分を順次再生することにより、音楽再生の効果を上げることができる。
【００３２】
本実施形態では、曲のサビ部分の再生を行なうために、予めサビ部分の抽出と保存の処理を行なうことができる。曲のサビ部分の抽出は、ＣＰＵ２１によってＲＯＭ２３内に格納されているサビ部分抽出プログラムが読み出され実行されることによって行われる。サビ部分抽出プログラムが起動すると、ハードディスク２２に保存されている音楽データのうち、サビ部分の抽出が行なわれていない音楽データが読み出され、サビ部分の抽出処理が順次行なわれる。サビ部分抽出プログラムに関しては、特開２００４-２３３９６５号公報に記載されているので、ここでは詳しく説明しない。
【００３３】
このようなサビ部分抽出プログラムによって、曲のサビ部分の区間がどこであるかが抽出される。サビ部分の区間は、曲の始まりの部分から何秒目の位置から何秒目の位置までかによって示される。このサビ部分の区間の情報を保存するわけであるが、その保存のしかたに以下の２つの方法がある。
【００３４】
第１の方法では、サビ部分の区間がどこからどこまでであるかを示す情報を元の音楽データと関連付けして保存する。図５（ａ）は、音楽データとその音楽データのサビ部分の区間を示す情報を格納したデータファイルの内容を示す図である。音楽データ名に対応して、サビ部分の開始位置と終了位置（曲の始まりの何秒目から何秒目までか）が書き込まれている。このデータファイルはハードディスク２２に保存され、サビ部分抽出プログラムによって、サビ部分が抽出された後に、このデータファイルにサビ部分の情報が追加されていく。
【００３５】
第２の方法では、元の音楽データ中からサビ部分の区間の音楽データのみを抽出して、サビ部分の音楽データとして保存する。つまり、サビ部分のみの音楽データを新規に作成して、ハードディスク２２に保存する。このとき、元の音楽データと関連がわかるようにする。図５（ｂ）は、元の音楽データとサビ部分の音楽データとの対応を示すデータファイルの内容を示す図である。このデータファイルは、それぞれの音楽データ名（ファイル名）とその音楽データのサビ部分の音楽データ名（ファイル名）との関係を示す情報が書き込まれている。このデータファイルはハードディスク２２に保存され、サビ部分抽出プログラムによって、サビ部分が抽出され、サビ部分の音楽データが作成され保存された後、このデータファイルに元の音楽データとサビ部分の音楽データとの対応情報が追加されていく。
【００３６】
なお、本実施形態では、上記のようにサビ部分抽出プログラムを用いて自動的に各音楽データのサビ部分の抽出と保存を行なうこととしたが、操作者が予め各音楽データを聴きながら、サビ部分を探してその区間を決定し、図５（ａ）のデータファイルに書き込んでもよい。また、同様にして操作者がサビ部分を探してその区間を決定し、音楽データの編集プログラムを用いて、音楽データのうちのサビ部分と決定した区間を切り取ってファイル名をつけて保存し、図５（ｂ）のデータファイルに書き込んでもよい。このように、サビ部分を決定には、種々の方法が考えられる。
【００３７】
次に、曲のサビ部分の再生を利用したスライドショー再生の動作の説明をする。図６は、スライドショー再生時の動作を示すフローチャートである。このフローチャートは、グループの各画像ごとに１つの音楽データが関連付けられたグループがスライドショー再生対象として選択された場合の動作を示している。まず、グループ選択がなされると（ステップＳ６０１）、図２に示した画像管理データベースファイルを開き、選択された各画像の情報を読み出す（ステップＳ６０２）。ここでは、グループ４が選択されたとする。図２の画像管理データベースファイル中より、グループ名が「４」である画像の情報を読み出す。対象となる画像はグループ４の画像１４、１５、１６である。そして、グループ４の各画像の関連音楽データ名を読み出す。画像１４、１５、１６の関連画像データ名はそれぞれＤＤ、ＥＥ、ＦＦであるから、各画像に対して異なる画像データが関連付けられていることがわかる。したがって、スライドショー再生において、画像表示が切り替わるごとに再生する音楽データも切り替えなければならない。このような音楽再生を行なう場合、本実施形態では、前述のようなサビ部分の再生を行なうこととなる。次に、各画像の表示時間の決定を行なう（ステップＳ６０３）。この処理は、図３のステップＳ３０３と同様の処理を行なってもよいが、ここでは、図３のときと異なり、各画像の表示時間を一定にする設定がなされていたとして、表示時間は、すべての画像で一定時間と決定する。
【００３８】
次に、図２の画像データベースファイルから、グループ４の画像のうち最初に表示されるべき画像（順位が１の画像）の画像名を読み出す（ステップＳ６０５）。ここでは、画像１４である。この画像１４の画像データを読み出して、ディスプレイ装置１１に画像表示する（ステップＳ６０６）。次に、表示した画像と関連付けられている音楽データのデータ名を読み出す（ステップＳ６０７）。これは、図２の画像管理データベースファイルから読み出すことができる。今表示されている画像１４は、図２の画像管理データベースファイルから、音楽データＤＤと関連付けられていることがわかる。そして、図５のデータファイルを読むことによって、音楽データＤＤのサビ部分の情報を読み出す（ステップＳ６０８）。図５（ａ）のデータファイルが作成されている場合は、音楽データＤＤのサビ部分は、曲の始めから８８秒の位置から１１１秒の位置までであることがわかる。図５（ｂ）のデータファイルが作成されているときは、音楽データＤＤのサビ部分に対応する音楽データは、音楽データＤＤｓであることがわかる。このような情報に基づいて、音楽データのサビ部分の再生を行なう（ステップＳ６０９）。図５（ａ）のデータファイルが作成されている場合は、ハードディスク２２に保存されている音楽データＤＤを読出し再生を開始するが、早送りをしてサビ部分の開始位置から再生を行なう。図５（ｂ）のデータファイルが作成されている場合は、ハードディスク２２に保存されているサビ部分の音楽データである音楽データＤＤｓを読み出して、再生を行なう。
【００３９】
このようにして、画像を表示し、その画像と関連付けられた音楽データのサビ部分を再生している状態で、予め設定された画像の表示時間が経過するのを待つ（ステップＳ６１０）。表示時間が経過したら、サビ部分の音楽データの再生を中止し（ステップＳ６１１）、次に表示すべき画像データがあるか否かを調べる（ステップＳ６１２）。ここでは、次に表示すべき画像データとして画像１５があるので、画像１５の画像データを読み出して（ステップＳ６１３）、ステップＳ６０６に戻り、ステップＳ６１１までの処理を繰り返す。次に表示すべき画像データがない場合は、ディスプレイ装置１１への画像表示を終了させ（ステップＳ６１４）、このグループのスライドショー再生を終了させる。グループ４の場合、最後に表示する画像１６の表示が終了すると、スライドショー再生が終了となる。
【００４０】
ハードディスク２２に記録された画像データには、画像情報以外に音声情報が入っているものもある。以下に、音声情報が入った画像データが存在する場合に対応可能な実施形態について説明する。
【００４１】
音声情報が入っている画像データの再生の際は、以下のようにすれば、画像表示をしながら、音声データの再生が可能である。ハードディスク２２から画像データが読み出されて、画像信号処理部１５でディスプレイ装置１１に表示するための画像信号に変換されるとき、音声データ部分は音声信号処理部１７へ送る。そして、音声信号処理部１７で、スピーカ１２で音声出力するための音声信号に変換する。このようにして、音声入りの画像データの場合、ディスプレイ装置１１に画像表示するとともに、スピーカ１２から音声出力を行なうことができる。
【００４２】
図３のフローチャートで説明したように、本実施形態では、複数の画像データからなるグループに対して１つの音楽データを関連付けすることができる。このとき、複数の画像データの中に音声入り画像データが含まれていた場合の動作モードを予め設定しておく。動作モードは、基本的には、音声入り画像データの音声データを再生するかしないかの２つがある。音声データを再生しない動作モードの場合、音声入り画像データが読み出されて画像表示がなされても、音声信号処理部１５では、音声入り画像データの音声データは無視し、それまで再生していた音楽データの再生を続ける。音声データを再生するモードでは、音声入り画像データが読み出されて画像表示がなされると、音声信号処理部１５では、音楽データの再生を止め、入力された音声入り画像データの音声データを再生する。そして、次の画像データ（音声入りデータでない）に切り替わったら、音声データの再生を止め、音楽データの再生を再度行なう。
【００４３】
図７は、スライドショー再生において、音声入り画像データの再生に対応するための動作フローチャートである。このフローチャートは、グループに対して１つの音楽データが関連付けられたグループがスライドショー再生対象として選択された場合の動作を示している。まず、グループ選択がなされると（ステップＳ７０１）、図２に示した画像管理データベースファイルを開き、選択されたグループの各画像の情報を読み出す（ステップＳ７０２）。ここではグループ３が選択されたとする。図２の画像管理データベースファイル中より、グループ名が「３」である画像の情報を読み出す。対象となる画像は、画像０８、１１、１２である。図２の画像管理データベースファイルから、グループ３の各画像の関連音楽データ名を読出す。ここでは、グループ３の画像０８、１１、１２は、関連音楽データ名がすべて「ＣＣ」なので、グループに対して１つの音楽データが関連付けされていることがわかる。次に、各画像の表示時間の決定を行なう（ステップＳ７０３）。この処理は、図３のステップＳ３０３と同様の処理を行なってもよいが、ここでは、図３のときと異なり、各画像の表示時間を一定にする設定がなされていたとして、表示時間は、すべての画像で一定時間と決定する。図２の画像管理データベースファイルから、グループ３の各画像の関連音楽データ名を読出す。ステップＳ７０２で確認したように、ここでは、グループ３の画像は、関連音楽データ名がすべて「ＣＣ」なので、この音楽データＣＣの再生を開始する（ステップＳ７０４）。
【００４４】
次に、図２の画像データベースファイルから、グループ３の画像のうち最初に表示されるべき画像（順位が１の画像）の画像名を読み出す（ステップＳ７０５）。ここでは、画像０８である。この画像０８の画像データを読み出して、ディスプレイ装置１１に画像表示する（ステップＳ７０６）。次に、画像信号処理部１５で画像表示処理を行なった際に、この画像データは音声データが入っているか否かを判断する（ステップＳ７０７）。そして、音声データが入っている場合は、前述の動作モードの設定を確認をし、音声データを再生するモードか否かを判断する（ステップＳ７０８）。音声データを再生するモードであれば、音声データは、画像信号処理部１５から音声信号処理部１７へ送られ、音声信号処理部１７で、現在再生している音楽データの再生を中断し（ステップＳ７０９）、画像データに入っていた音声データの再生を開始する（ステップＳ７１０）。そして、予め設定された画像の表示時間が経過するのを待つ（ステップＳ７１１）。ステップＳ７０７で画像データに音声データが入っていないと判断された場合、あるいは、ステップＳ７０８で音声データを再生するモードではないと判断された場合は、そのままステップＳ７１１に進み、画像の表示時間が経過するのを待つ。
【００４５】
表示時間が経過したら、図２の画像管理データベースより、次に表示すべき画像があるか否かを調べる（ステップＳ７１２）。次の画像データがある場合は、現在、画像データに入っていた音声データを再生中であるか否かを確認する（ステップＳ７１３）。音声データを再生中であれば、その再生を中止し（ステップＳ７１４）、音楽データＣＣの再生を再開する（ステップＳ７１５）。音楽データ再生の再開は、ステップＳ７０９で再生を中断した際に、中断した位置を記憶しておいて、その位置から再生を再開すればよい。そして、次の画像データを読出し（ステップＳ７１６）、ステップＳ７０６へ戻って画像表示を行い、ステップＳ７１５までの処理を繰り返す。ステップＳ７１３で、音声データ再生中でなければ、音楽データの再生が続けられていることになるから、何もしないでステップＳ７１６へ進み、次の画像データの表示処理を行なう。ステップＳ７１２で、次の画像データがない場合は、音声信号処理部１７での音声出力の処理を終了し（ステップＳ７１７）、画像信号処理部１５での画像信号出力の処理も終了し（ステップＳ７１８）、スライドショー再生を終了する。
【００４６】
以上のような図７のフローチャートにおける処理において、画像データに音声データが入っていた際に、その音声データを再生するモードのときの動作は、再生されており音楽データの再生を中断させて、画像データに入っていた音声データを再生することとした。しかしながら、音声データを再生するモードのときの動作としては、次のような動作を行なってもよい。その動作モードは、音声出力が２チャンネルのステレオで行なえることが前提となる。すなわち、スピーカ１２が２つあり、音声信号処理部１７、音声信号出力部１８の入出力も２系統ある場合である。音楽データの再生中は、ステレオ音声で再生する。音声入り画像データが読み出されて画像表示がなされると、音楽のデータの一方のチャンネルの出力を止め、一方のチャンネルのみから出力する。この場合、音楽データの音声信号はモノラルに変換して出力する。そして、音楽データが出力されない一方のチャンネルからは、音声入り画像データの音声データを再生出力する。この音声データがステレオである場合はモノラルに変換して出力する。
【００４７】
このような動作モードに設定された場合は、図７のフローチャートにおいて、ステップＳ７０９では、音楽データの再生を中断するのではなく、一方のチャンネルからのみ出力する処理を行なう。また、ステップＳ７１０では、画像データに入っていた音声データの再生は、音楽データの再生に使っていない他方のチャネルから出力する。また、ステップＳ７１５では、音楽データの再生を２チャンネルを用いたステレオ再生に戻すことになる。画像データに入っている音声データの再生を行なうときのモードを、以上説明した２つのモードから選択できるようにして、ステップＳ７０９の前でその選択されているモードを確認し、以降の動作を切り替えるように構成してもよい。
【００４８】
本実施形態では、図６のフローチャートによる動作（曲のサビ部分を再生する場合）、図７のフローチャートによる動作（音声入り画像データの再生の場合）においては、各画像の表示時間を一定として画像表示することとしたが、図３のフローチャートのステップＳ３０３で説明したように、各画像の表示時間を次に表示する画像との撮影日時間隔によって制御してもよい。
【図面の簡単な説明】
【００４９】
【図１】本発明の実施形態の画像表示装置の構成を示すブロック図である。
【図２】本発明の実施形態の画像表示装置で作成される画像管理データベースの内容を示す図である。
【図３】本発明の実施形態の画像表示装置でのスライドショー再生時の動作を示すフローチャートである。
【図４】本発明の実施形態の画像表示装置でのスライドショー再生時の各画像の表示時間の決定方法を説明するための図である。
【図５】本発明の実施形態の画像表示装置での音楽データとそれらの音楽データのサビ部分との対応を示すデータファイルの内容を示す図である。
【図６】本発明の実施形態の画像表示装置でのスライドショー再生時の動作を示すフローチャートである。
【図７】本発明の実施形態の画像表示装置でのスライドショー再生時の動作を示すフローチャートである。
【符号の説明】
【００５０】
１：画像表示装置、１１：ディスプレイ装置、１２：スピーカ、１３：ＣＤプレーヤ、１４：入力部、１５：画像信号処理部、１６：画像信号出力部、１７：音声信号処理部、１８：音声信号出力部、１９：音声信号入力部、２０：ＵＳＢインタフェース部、２１：ＣＰＵ、２２：ハードディスク、２３：ＲＯＭ、２４：ＲＡＭ、３０：電子カメラ。
【図１】
2007165958.tif 000003
【図２】
2007165958.tif 000004
【図３】
2007165958.tif 000005
【図４】
2007165958.tif 000006
【図５】
2007165958.tif 000007
【図６】
2007165958.tif 000008
【図７】
2007165958.tif 000009